(57)【要約】      （修正有）【課題】簡便に据付ができる地中埋設コンクリートブロックを提供する。【解決手段】地中に埋設する中空状の地中埋設コンクリートブロック１であって、上下方向に分割してなるブロックを積層してなる。下ブロック２Ｂの上面に凸部１２Ｂを形成し、上ブロック２Ａの下面に凸部１２Ｂに嵌合する凹部を形成する。【選択図】図１
0003192351.tif 000002
【実用新案登録請求の範囲】
【請求項１】
地中の埋設する中空状の地中埋設コンクリートブロックであって、
上下方向に分割してなるブロックを積層してなる地中埋設コンクリートブロック。
【請求項２】
請求項１の地中埋設コンクリートブロックであって、
下ブロックの上面に凸部を形成し、上ブロックの下面に前記凸部に嵌合する凹部を形成の地中埋設コンクリートブロック。
【請求項３】
請求項１の地中埋設コンクリートブロックであって、
下ブロックの上面に凹部を形成し、上ブロックの下面に前記凹部に嵌合する凸部を形成の地中埋設コンクリートブロック。
【請求項４】
請求項１から請求項３のいずれか一項の地中埋設コンクリートブロックであって、上ブロックとしたブロックを連結棒で結合の地中埋設コンクリートブロック。
【考案の詳細な説明】
【技術分野】
【０００１】
本願考案は、地中埋設コンクリートブロックの分割に関する。
【背景技術】
【０００２】
従来、特許文献1に示す地中埋設コンクリートブロックは、中空直方形状であり、１個のブロックで製作して、埋設する旨に関する記載である。しかし、図８に示すように、地中埋設コンクリートブロック１００が大きいときには、左右に分割した右ブロック１０１Ａ、左１０１Ｂを製作して、基礎１０３に据え付ける。尚、６は貫通孔を形成する薄肉に形成のノックアウト部であり、４はブロックの表面に形成のマンホール枠であり、５は鉄製のマンホールである。
【先行技術文献】
【特許文献】
【０００３】
【特許文献１】特開２０１２−１９５９２号公報
【考案の概要】
【考案が解決しようとする課題】
【０００４】
図８に示すように、分割された右ブロック１０１Ａ、左ブロック１０１Ｂを基礎１０３に据え付けるにあたって、先ず、右ブロック１０１Ａを基礎１０３にレベルを合わせて据え付ける。次に、前記右ブロック１０１Ａの位置に合わせて、左ブロック１０１Ｂをレベルに合わせて据え付けた後に、右ブロック１０１Ａと左ブロック１０１Ｂを結合する。
【０００５】
このように、右ブロック１０１Ａと左ブロック１０１Ｂをそれぞれ基礎１０３に対して、それぞれレベルを合わせて据え付けるという、煩わしさが生ずる。
また、例えば、右ブロック１０１Ａの箇所の基礎１０３が陥没したときには、右ブロック１０１Ａと左ブロック１０１Ｂが一体で維持できるか、即ち、結合部で分離することが考えられ、漏水が生ずる。
そこで、本考案は、係る不都合を解消する地中埋設コンクリートブロックを提供する。
【課題を解決するための手段】
【０００６】
請求項１の地中の埋設する中空状の地中埋設コンクリートブロックは、上下方向に分割してなるブロックを積層してなる。
又、請求項２の地中埋設コンクリートブロックは、下ブロックの上面に凸部を形成し、上ブロックの下面に前記凸部に嵌合する凹部を形成してなる。
又、請求項３の地中埋設コンクリートブロックは、下ブロックの上面に凹部を形成し、上ブロックの下面に前記凹部に嵌合する凸部を形成してなる。
又、請求項４の地中埋設コンクリートブロックは、上ブロックとしたブロックを連結棒で結合してなる。
【考案の効果】
【０００７】
本考案は、上下方向に分割してなる地中埋設コンクリートブロックであり、基礎に据え付けのブロックのレベルだけを調整すればよいので、簡便に据付ができる。
【図面の簡単な説明】
【０００８】
【図１】地中埋設コンクリートブロックを上下分割して上ブロックと下ブロックの図である。
【図２】図１のＡ〜Ａ矢視図である。
【図３】図１のＢ〜Ｂ矢視図である。
【図４】図１のＣ〜Ｃ矢視図である。
【図５】連結部材を設置するブロックの側面図である。
【図６】クレーンで吊って、下ブロックを設置する図である。
【図７】クレーンで吊って、上ブロックを設置する図である。
【図８】従来の分割した地中埋設コンクリートブロックを示す図である。
【考案を実施するための形態】
【０００９】
本考案の実施の形態の地中埋設コンクリートブロック１は、地中配管や地中ケーブル等の点検をしたり、曲折して通すために地中に設置するものであり、上下方向に複数個に分割して構成できるが、ここでは上ブロック２Ａと下ブロック２Ｂの２分割したもので説明する。
地中埋設コンクリートブロック１を上下分割して上ブロック２Ａと下ブロック２Ｂを示す図１、図１のＡ〜Ａ矢視図である図２、図１のＢ〜Ｂ矢視図である図３、図１のＣ〜Ｃ矢視図である図４を参照して説明する。
尚、
【００１０】
上ブロック２Ａは表面７Ａを有する中空の鉄筋コンクリートで製作の直方体であり、表面７Ａにはマンホール枠４に鉄製のマンホール５が装着してある。又、正面には貫通孔を形成する薄肉に形成のノックアウト部６Ａが形成してあり、地中配管や地中ケーブル等を、挿通したり、曲折して通す。
又、表面７Ａの両側部には、後記で詳述する連結棒１０を相通する連通孔８Ａが表面から裏面に至って形成してある。又、前記連通孔８Ａの中途の側面には窪み１３Ａが形成してあり、この窪み１３Ａによって連結棒１０を締め付けるナット１０Ａを装着可能である（図４、図５）。
【００１１】
一方、前記上ブロック２Ａの下に設置する下ブロック２Ｂは、底７を有する中空状の直方体系の鉄筋コンクリート製であり、正面には貫通孔を形成する薄肉に形成のノックアウト部６Ｂが形成してあり、地中配管や電線チューブ等を、相通したり、曲折して通す。又、前記連通孔８Ａに対応する位置に、連通孔８Ｂが表面から窪み１３Ｂまで形成してある。なお、この窪み１３Ｂは側面に形成してあり、この窪み１３Ｂによって連結棒１０を締め付けるナット１０Ｂを装着可能である（図５）。
【００１２】
又、上ブロック２Ａの下面には凹溝１２Ａが形成してあり、前記下ブロック２Ｂの上面には、前記凹溝１２Ａに嵌合する凸部１２Ｂが形成してある。尚、これら凹溝１２Ａと凸部１２Ｂをコンクリート自体で嵌合しても良いが、少なくとも一方に、ゴム等の弾性体を装着することによって、漏水を良好にすることができる。又、上ブロック２Ａの下面には凸部、下ブロック２Ｂの上面に凹溝を形成しても良い、
また、図５に示すように、連結棒１０の上下端でナット１０Ａ，１０Ｂで締め付けることによって、前記凹溝１２Ａと凸部１２Ｂは嵌合して、上ブロック２Ａと下ブロック２Ｂは漏水を防止して一体として結合される。
【００１３】
次に、図６，７は、上下に分割のブロックを据え付ける作業を示すものであり、先ず、基礎２０を作成する。そして、クレーン３０で下ブロック２Ｂを吊上げて、前記基礎２０に載置して、レベル調整を行なう。
次に、クレーン３０で上ブロック２Ａを吊上げて、下ブロック２Ｂの上に、凹溝１２Ａと凸部１２Ｂを合わせて載置する。この上ブロック２Ａは下ブロック２Ｂの上に載置するだけでレベル調整は不要である。そして、連結棒１０を上ブロック２Ａの連通孔８Ａ、８Ｂに挿入し、上下端でナット１０Ａ，１０Ｂで締め付ける。
【００１４】
以上のように、上下方向に上ブロック２Ａと下ブロック２Ｂに２分割して形成することによって、下ブロック２Ｂの水平レベルを調整して据え付けることによって、上ブロック２Ａの調整を不要とするので、簡便に据付工事ができる。
尚、前記例では、地中埋設コンクリートブロックを上ブロック２Ａと下ブロック２Ｂの２分割を例示としたが、３分割以上で形成しても良いことは明らかである。
【符号の説明】
【００１５】
２Ａ  上ブロック
２Ｂ  下ブロック
４  マンホール枠
５  マンホール
６Ａ，６Ｂ  ノックアウト部
８Ａ、８Ｂ  連通孔
１０  連結棒
１０Ａ、１０Ｂ  ナット
１３Ａ、１３Ｂ  窪み
１２Ａ  凹溝
１２Ｂ  凸部
【図１】
0003192351.tif 000003
【図２】
0003192351.tif 000004
【図３】
0003192351.tif 000005
【図４】
0003192351.tif 000006
【図５】
0003192351.tif 000007
【図６】
0003192351.tif 000008
【図７】
0003192351.tif 000009
【図８】
0003192351.tif 000010